(57)【要約】  本発明は、分子の電気濾過のための方法およびデバイスに関する。膜は支持体に共有結合しているＮ−アクリロイル−トリス（ヒドロキシメチル）アミノメタン（ＮＡＴ）を含む。さらに、本発明はＮ−アクリロイル−トリス（ヒドロキシメチル）アミノメタン（ＮＡＴ）に共有結合している等電点バッファーを含む組成物を含む。特に、本発明は、溶液中の分子の等電点濾過を可能にする膜およびデバイスに関する。
2010503869.tif 000002
【特許請求の範囲】
【請求項１】
支持体に共有結合しているＮ−アクリロイル−トリス（ヒドロキシメチル）アミノメタン（ＮＡＴ）を含む膜。
【請求項２】
支持体がグラス、好ましくはグラスファイバー、フリットグラスまたはファイバーグラスである、請求項１に記載の膜。
【請求項３】
さらにＮＡＴに共有結合している等電点バッファーを含む、請求項１または２に記載の膜。
【請求項４】
該等電点バッファーがアクリルアミドバッファーである、請求項３に記載の膜。
【請求項５】
Ｎ−アクリロイル−トリス（ヒドロキシメチル）アミノメタン（ＮＡＴ）に共有結合している等電点バッファーを含む組成物。
【請求項６】
該等電点バッファーがアクリルアミドバッファーである、請求項５に記載の組成物。
【請求項７】
該組成物がゲル形態である、請求項５−７のいずれかに記載の組成物。
【請求項８】
さらにアガロースを含む、請求項５−８のいずれかに記載の組成物。
【請求項９】
請求項１−８のいずれかに記載の膜または組成物を含むデバイス。
【請求項１０】
請求項１−４のいずれかに記載の２個以上の膜を含むデバイスであって、チャンバーまたはコンパートメントが該膜間に存在する請求項８に記載のデバイス。
【請求項１１】
いくつかのチャンバーまたはコンパートメントを含み、該チャンバーまたはコンパートメントの容量が互いに同じであるか、または互いに異なっている請求項１０に記載のデバイス。
【請求項１２】
分子の分離または濾過、好ましくは電気濾過のための請求項１−１１のいずれかに記載の膜、組成物またはデバイスの使用。
【請求項１３】
該電気濾過が等電点濾過または等電点捕捉である、請求項１２に記載の使用。
【請求項１４】
等電点電気泳動のための請求項５−８のいずれかに記載の組成物の使用。
【請求項１５】
分子が荷電した分子であり、好ましくはタンパク質、ポリペプチド、ペプチド、アミノ酸、核酸分子、ポリヌクレオチド、オリゴヌクレオチド、ヌクレオチドおよびそれらの類似体の群から選択される、請求項１２−１４のいずれかに記載の使用。
【請求項１６】
分子がタンパク質、好ましくは抗体またはそのフラグメントである、請求項１２−１５のいずれかに記載の使用。
【請求項１７】
分子が核酸分子であり、好ましくはＤＮＡ、ＲＮＡ、ｃＤＮＡ、ｍＲＮＡまたはＰＮＡであり、より好ましくはｓｉＲＮＡまたはｍｉＲＮＡである、請求項１２−１５のいずれかに記載の使用。
【請求項１８】
分子を濃縮するための請求項１１に記載のデバイスの使用。
【請求項１９】
Ｎ−アクリロイル−トリス（ヒドロキシメチル）アミノメタン（ＮＡＴ）が支持体に共有結合している、請求項１−４のいずれかに記載の膜の製造法。
【請求項２０】
等電点バッファーがＮ−アクリロイル−トリス（ヒドロキシメチル）アミノメタン（ＮＡＴ）に共有結合している、請求項５−８のいずれかに記載の組成物の製造法。
【発明の詳細な説明】
【技術分野】
【０００１】
本発明の範囲
本発明は、分子の電気濾過のための方法およびデバイスに関する。特に、本発明は、溶液中の分子の等電点濾過を可能にする膜およびデバイスに関する。
【背景技術】
【０００２】
背景
分取電気泳動は既知であり、種々な形態の電気泳動装置は分析および分取目的の両方のために提案された。基本的に、分取電気泳動のための装置および原理は、４つの主な種類、すなわち、ディスク電気泳動、フリーカーテン電気泳動、等速電気泳動および等電点電気泳動に分類することができる（A. T. Andrews, Electrophoresis: Theory, Techniques, and Biochemical and Clinical Applications, Clarendon Press, Oxford 1986、およびP. G. Righetti, Isoelectric Focusing: Theory, Methodology and Applications, Elsevier, Amsterdam, pp. 204-207 (1983)）。
【０００３】
一般的に、ディスク電気泳動および等速電気泳動は、連続の（アガロースおよびポリアクリルアミド）または不連続の（粒状層、例えば、Ｓｅｐｈａｄｅｘ．ＲＴＭ．）親水性マトリックス中を移動する。それらは高分解能により特徴付けられるが、低サンプル負荷にのみ耐用性である。フリーカーテン電気泳動は、一般的に、連続バッファーを使用し、液相なしで実施し、そして連続サンプル投入でバッファーの薄膜を連続的に流動することにより特徴付けられる。基本的に、この技術は大容量のサンプル取扱を提供するが、低分解能である。加えて、タンパク質の高い拡散係数により、この方法は大部分が無傷細胞または細胞内小器官の精製に限定される。
【０００４】
等電点電気泳動（ＩＥＦ）は、連続の、または粒状の液体支持体（密度勾配）またはゲル媒体で実施することができる。今日、多数のＩＥＦ適用はゼラチン状支持媒体（例えば、アガロースおよびポリアクリルアミドマトリックス）で実施される。該技術は高分解能であるが、中位のタンパク質負荷にのみ耐用性である。加えて、非対流性媒体の親水性ゲルで使用する全ての分取技術は、精製されたタンパク質をマトリックスから回収する問題を有する。これは、さらなる取扱工程、例えば、対象の領域の検出、バンドカッティングおよび拡散または電気泳動回収による溶離を必要とする。これらの技術は、２つの大きな不利：（ａ）全てのマトリックスがタンパク質を不可逆的に吸収する傾向にあるための低回収率、および（ｂ）ゲル物質からの汚染の可能性（とりわけ、毒性の分子である合成支持体、例えば、ポリアクリルアミドの場合、バルクマトリックスに共有結合していない未反応モノマーおよび短鎖オリゴマーポリアクリルアミドコイルからの汚染）を有する。指定のｐＨ値を有する膜の使用は、例えば、Moeller et al, Electrophoresis, 2005, 26, 35-46により記載されている技術で使用され、ここで、固定されたｐＨを有するいくつかの膜は生体分子を分離するために使用する。しかしながら、ここに記載されている技術は、時間を消費し、比較的に低タンパク質の負荷能力を有し、そして、余分な加熱を避けるために冷却システムが必要である。加えて、この技術はアクリルアミドマトリックスの使用に基づく。
【０００５】
先行技術は、互いに、隔壁様構造、例えば、モノフィラメントスクリーン、膜、ゲル、フィルターおよびフリットディスクにより分離されている２つのサブコンパートメントを含む多くのデバイスを記載している。一般的に、これらのデバイスは、隔壁により互いに分離させる、複数の基本的に平行なフレーム、チャンバー（chamber）、コンパートメント（compartment）またはスペーサー（spacer）から組み立てられる。等電点膜を有するマルチコンパートメント電解槽は、大容量および多量のタンパク質を均一に処理するために紹介された（Righetti, P. G., Wenisch, E. and Faupel, M., 1989, J. Chromatogr. 475:293-309; Righetti, P. G., Wenisch, E., Jungbauer, A., Katinger, H. and Faupel. M., 1990, J. Chromatogr. 500:681-696; Righetti, P. G., Faupel, M. and Wenisch, E., 1992, In: Advances in Electrophoresis, Vol. 5, Chrambach, A., Dunn, M. J. and Radola, B. J., eds., VCH, Weinheim, pp. 159-200）。等電点電気泳動に基づくこの精製処理は、再循環条件下で、タンパク質マクロイオンを貯蔵器に保持し、そして連続的に電場中のそれらが双性イオン膜を備えたマルチコンパートメント電解槽を通過することにより進行する。このシステムにおいて、タンパク質はいつも液体傾向を維持し（したがって、それは、クロマトグラフィー法の慣例の、表面上への吸着により無くならない）、そして、それは精製されるタンパク質のｐＩ値を含むｐＩを有する２つの膜により定められているチャンバーに捕捉される。したがって、連続の滴定プロセスにより、等電点がないか、または異なるｐＩ値を有する全ての他の不純物は、対象のタンパク質が、最後に、同じ等電点および等イオン点であることにより特徴付けられる単独の種類として存在するチャンバーから追い出される（ただし、タンパク質の等電点および等イオン点は対イオンの存在である程度異なり得る）。
【０００６】
原特許が記載しているこのプロセス（Faupel, D. M. and Righetti, P. G., U.S. Pat. No. 4,971,670, Nov. 20, 1990）において、緩衝等電点膜の存在下の等電点電気泳動プロセスは、唯一かつ排他的に、タンパク質およびペプチドの分離および精製のため、すなわち、対象のタンパク質から汚染物質（他のマクロイオンおよび塩を含む）を除去するために開発された。等電点膜は、また、Martin, A. J. P. and Hampson, F. (U.S. Pat. No. 4,243,507, 1981)により記載され、そして、それらは電気泳動室で固定されたまたは吸着された電荷により生じた電気浸透流を抑制するために使用される。Righetti, P.G. (U.S, Pat. No. 5,834,272, Nov 10, 1998)は、溶液中で、したがって均一触媒作用の条件下でなお維持している酵素を固定するための方法を記載した。この方法は、“捕捉される”酵素のｐＩ付近の等電点（ｐＩ）を有する２つの等電点膜間の酵素を固定することにある。該反応器はマルチチャンバー電解槽であって、ここで、電場は、電場の内部および外部に酵素を連続的に再循環するための液圧流動のために、熱交換器および基質、共因子および他の試薬を注入する（または回収する）ための供給器として作用する貯蔵器と連結している。酵素反応チャンバー内にバッファーを共固定することにより、最適活性のｐＨを維持する。これは、酵素の等電点を維持する２つの膜のｐＩ間を含むｐＩ値を含み、そしてそれらそれぞれのｐＩで適度な緩衝力を有する適当な両性バッファーを選択することにより達成される。BierによるU.S. Pat. No. 4,362,612において、隣接コンパートメントは機能的に電気泳動的に異なるｐＨ値に適応させるために製造され、したがって、これらの等電点にしたがって溶解されたタンパク質を分離する。同様の多数のサブコンパートメントデバイスがFaupel et al.によるU.S. Pat. No. 4,971,670、Egen et al.によるU.S. Pat. No. 5,173,164、Rodkey et al.によるU.S. Pat. No. 4,963,236およびPerry et al.によるU.S. Pat. No. 5,087,338に記載されている（これら全ては、サブコンパートメントの本質的に平行なアレイとなる隔壁により互いに分離される一連の平行なスペーサーを含むデバイスを記載している）。多数の他の同様のデバイスが特許および他の文献に記載されている。全てのこのようなデバイスにおいて、電極は電場の適用のためにサブコンパートメントの組み立ての最後に提供される。
【０００７】
Faupel and al（GB0010957.9）により記載されている“ゲルなし”ＩＰＧ−等電点電気泳動原理は、溶液、特に無両性電解質、または無緩衝剤溶液中で荷電および中性化合物の分離ならびに該化合物の回収をするためのデバイス、方法およびキットにあって、該デバイスは：（ａ）分析溶液を導入するための手段を有する入射端部、分離された画分を回収または再循環するための手段を有する出口端、前壁および後壁ならびに化学緩衝系を構成するチャンバーの１つの壁を含むチャンバー、（ｂ）電流が該化学緩衝系を通り、電位差が生じ、該荷電および中性化合物が特異的に分離される手段、（ｃ）画分、特に溶液、多数の特に無両性電解質、または無緩衝剤溶液中で分離された画分を回収するための方法、および（ｄ）所望により、分離された画分を再循環することを含む。この溶液のｐＨは、化学緩衝系、例えば、ｉｍｍｏｂｉｌｉｎｅＴＭゲル、ポリマーマトリックスに固定される液体、フリットグラス、フィルターまたは任意のそれらの組合せを有するチャンバーにそれを入れることにより調節する。この化学緩衝系は分析溶液と接触するその部分でのｐＨを固定する役割を果たし、それによってイオンとこのｐＨで全体的に中性である化合物を区別することができる。電場は該化学緩衝系を通るように適用され、そしてチャンバーの形は電場がこのチャンバー内を通り、それによって溶液中に存在する荷電種の移動流動を生じるような形態で製造される。荷電した化合物の移動により誘導された分離は、直接、分析溶液中で起こす。
上記方法の全ての不利の１つは、それらが、しばしば、毒性の分子であるアクリルアミドを含み製造されたマトリックスの使用に基づく。
【０００８】
本発明は、従来技術の欠点を克服する。言い換えると、本発明は、分子の混合物から所望の分子を濾過する、分別する、濃縮する、分離する、または、固定することを可能にし、高いサンプル負荷、高分解能およびフィルター膜内の分子の極端に低い損失、ならびに単離された分子の容易な回収を有することを特徴とする電気濾過法を可能にする組成物または膜を提供する。さらに、本発明の組成物および膜は、非毒性の物質を含む重要な利点を有し、したがって、有利に分取プロセスに対して適当である。
【０００９】
この従来技術の欠点の解決は、本発明者が驚くべきことに非毒性の分子であるＮ−アクリロイル−トリス（ヒドロキシメチル）アミノメタン（以下“ＮＡＴ”）が支持体、特にグラス支持体に共有結合させることができ、そして、アクリルアミドバッファーがＮＡＴ（遊離または支持体に共有結合している）に共有結合させることができることを見出した事実に基づく。
【００１０】
ＮＡＴを含むゲルの使用は、すでにアクリルアミドの代わり、またはアクリルアミドと組み合わせることをＫｏｚｕｌｉｃ  ａｎｄ  Ｍｏｓｂａｃｈ（WO-A-88/09981およびAnalytical Biochemistry, 1987, 163:506-512）により提案されている。しかしながら、これらの文献の著者は、ＮＡＴが支持体に共有結合させることができ、したがって有利な膜を提供することを理解していなかった。さらに、上記文献は等電点電気泳動に言及しているが、これらの著者はゲルに共有結合しない両性電解質を使用しており、アクリルアミドバッファーがＮＡＴに共有結合させることができ、したがって等電点電気泳動または濾過のために有利な組成物、ゲルおよび／または膜となることを理解していなかった。
【発明の概要】
【００１１】
本発明の要約
本発明者は、驚くべきことに、非毒性分子であるＮ−アクリロイル−トリス（ヒドロキシメチル）アミノメタン（以下“ＮＡＴ”）を、支持体、特にグラス支持体に共有結合させることができることを見出した。
【００１２】
さらに、本発明者は、アクリルアミドバッファーをＮＡＴに共有結合させることができる（遊離であるか、または支持体に共有結合しているかのいずれか）ことを見出した。
【００１３】
したがって、本発明は、支持体、特にグラス、グラスファイバー、フリットグラスまたはファイバーグラスに共有結合しているＮ−アクリロイル−トリス（ヒドロキシメチル）アミノメタン（ＮＡＴ）を含む膜に関する。
【００１４】
さらに、本発明の膜は、ＮＡＴに共有結合している等電点バッファー、例えば、アクリルアミドバッファーまたはＩｍｍｏｂｉｌｉｎｅＴＭを含み得る。このような膜は特に等電点捕捉プロセスおよび分子の分取濾過のために適切である。
【００１５】
本発明は、また、ＮＡＴに共有結合している等電点バッファーを含む組成物を含み、該組成物は等電点電気泳動分析のためのゲルを提供するために使用することができる。アガロースを、これらの物理的安定性を改良するために該ゲルに含ませることができる。
【００１６】
本発明は、さらに、本発明の膜または組成物を含むデバイスを含む。本発明の該デバイスは、また、２つ以上の本発明の膜を含んでもよく、チャンバーまたはコンパートメントが該膜間に存在する。本発明のデバイスがいくつかのチャンバーまたはコンパートメントを含むとき、該チャンバーまたはコンパートメントの容量は互いに同じ、または異なっていてよい。異なる容量を有するコンパートメントまたはチャンバーは、容易に所望の分子を濃縮または望ましくない分子を希釈することができる。
【００１７】
本発明の膜、組成物またはデバイスは分子の分離または濾過、好ましくは電気濾過のために使用することができる。本発明の該膜、組成物またはデバイスは、また、所望の分子を濃縮、分画または固定するために使用することができる。
【００１８】
本発明の膜、組成物またはデバイスの好ましい使用は、等電点濾過および／または等電点捕捉である。
【００１９】
本発明により濾過および／または単離される分子は、荷電分子、好ましくはタンパク質、ポリペプチド、ペプチド、アミノ酸、核酸分子、ポリヌクレオチド、オリゴヌクレオチド、ヌクレオチドまたはそれらの相同体もしくは類似体および／またはそれらの組合せであってよい。該分子は、抗体またはそのフラグメント、ＤＮＡ、ＲＮＡ、ｃＤＮＡ、ｍＲＮＡまたはＰＮＡであってよい。好ましい態様において、該分子はｓｉＲＮＡまたはｍｉＲＮＡ分子である。
【００２０】
本発明は、また、本発明の膜、組成物またはデバイスの製造法を含む。
【図面の簡単な説明】
【００２１】
【図１】ＮＡＴとアクリルアミド膜の相関関係のグラフ
【図２】典型的な金型ブロックの配置図
【図３】Ａｍｐｈｏｌｉｎｅ  ゲル  ３．５−９−５：粗血清から分離された抗体。９８は何らかの分離前の混合物を示す。分離後、画分（９８＋）および（９８−）を回収した。抗体のｐＩは７．８であり、分離中にこのタンパク質は７．３５膜の下に拡散したが、血清はそれの上を維持した。血清の希釈は９８＋において１／２、９８において１／１０である。
【図４】粗血清から抗体を分離するために必要な時間：Ａ；分離の１時間後、Ｂ；分離の２時間後、Ｃ；分離の３時間後、Ｄ；分離の４時間後、Ｅ；分離の５時間後。
【図５】エグリンＣおよびβラクトグロブリンの分離。“出発物質”は混合物を示し、何らかの分離をした。分離後、画分＋（７８＋および７９＋）および−（７８−および７９−）を回収した。分離で、エグリンＣは５．４５および５．５膜の下に拡散するが、βラクトグロブリンはそれの上を維持した。出発物質の色は分離後のサンプルより暗い。これはサンプルを膜上に加えた後である事実により、付加的容量を考えるべきである：該容量は膜より下であり、これはサンプル７８＋／−および７９＋／−を希釈する。
【図６】本発明の膜を使用するために適当な典型的なマルチチャンバーデバイスの配置図。
【発明を実施するための形態】
【００２２】
発明の詳細な説明
本発明は、等電点電気泳動（ＩＥＦ）プロセスにおいて使用するための膜またはゲルを製造するための非毒性分子であるＮ−アクリロイル−トリス（ヒドロキシメチル）アミノメタン（ＮＡＴ）の使用に関する。先行技術の膜／ゲルが毒性であるアクリルアミドおよび／または共有結合しない両性電解質を含むことを考慮すると、本発明は、分子の濾過／分離のための加療された膜／ゲルを提供する技術的問題を解決する。
【００２３】
本発明の膜およびゲルは、毒性アクリルアミド（この使用は食品医薬品局により承認されていない）の必要なしで、迅速な、かつ好都合な両性または中性の分子または化合物の濾過、分離および／または精製を可能にする。さらに、本発明の膜は、単一膜の通過により他の分子の混合物から所望の分子の迅速な分離を可能にする。加えて、膜の空隙率は、当業者に既知である形態で、支持体の選択および／またはそれらのｐＩ（ｐＩは使用されるアクリルアミドバッファーの選択で決定される）により容易に調節される。
【００２４】
透過性膜は、ＮＡＴ分子と結合するグラスマイクロファイバーフィルター、例えば、Ｗｈａｔｍａｎ  ＧＦ／Ｄ  フィルターであり得る支持体であり得る。膜の製造法は、例えば、ゲル中で、支持体に共有結合しているＮＡＴおよびＮＡＴに共有結合するようになるアクリルアミドバッファーの驚くべき能力に基づき、したがって任意の所望の値でゲルの緩衝ｐＨを固定する。これは、例えば、ＦＤＡがアクリルアミドの使用を承認しないため、これまでに使用された高い毒性であるアクリルアミドの欠点を克服し、また、とりわけ分取プロセスで分子のより迅速な分離／濾過を可能にする。
【００２５】
分離される分子は、タンパク質、酵素または少なくとも２個のアミノ酸を有する低分子ペプチドまたはペプチドもしくはタンパク質部分を含む化合物、例えば、糖タンパク質であり、また、核酸（一もしくは二本鎖）、複合脂質または複合糖質であってもよい。理論により制約される洗浄なしで、これらの分子は両性であり、そして、精製プロセスの条件下でおよび望ましくない共存化合物からの分離を実際に実施するとき、等電点または非荷電状態を維持することができる。
【００２６】
それとは反対に、精製プロセスの条件下でおよび所望の化合物からの分離を実際に実施するとき、電荷を有する分子は、さらに、電極にむかって拡散し、したがって所望の分子を保持するコンパートメント／チャンバーを通過する。このプロセスにより除去することができる望ましくない分子の他の例は、塩、例えば、アルカリ金属塩、例えば、塩化ナトリウムである。
【００２７】
本発明の膜を使用して実施される濾過は、化合物の必要である流動を可能にする何らかの溶媒、例えば、水または適当なアルコール、例えば、低級アルカノール、例えば、メタノールまたはエタノールと水の混合物、または、例えば、一般的に使用されるバッファー、ウレア、界面活性剤または他の何らかの水混和性有機溶媒を含む水性溶液を使用して実施してもよい。本発明の濾過のために適当であるバッファーは、一般的に当分野で使用されるバッファー、例えば、リン酸、水酸化ナトリウムまたは何らかの両性電解質の組成物を含むが、限定はしない。
【００２８】
１つの態様において、本発明の膜は、液体を保持し、そして電極を含むことができる２つのチャンバー間に置かれる。透過性である該膜はチャンバー間の液体および分子の通過を可能にさせる。本発明のさらなる局面において、分離するために、本発明の２つの膜（同じか、または異なるｐＨ値を有する）をチャンバーの２つの側面に置く。この分離は、隔壁様構造、例えば、モノフィラメントスクリーン、膜、ゲル、フィルターおよびフリットディスクにより互いに分離される２つのサブコンパートメントを含む既知のデバイスのいずれかで実施することができる。適当なデバイスは、大容量および多量のタンパク質を均一に処理するために紹介された等電点膜を有するマルチコンパートメント電解槽である（Righetti, P. G., Wenisch, E. and Faupel, M., 1989, J. Chromatogr. 475:293-309; Righetti, P. G., Wenisch, E., Jungbauer, A., Katinger, H. and Faupel. M., 1990, J. Chromatogr. 500:681-696; Righetti, P. G., Faupel, M. and Wenisch, E., 1992, In: Advances in Electrophoresis, Vol. 5, Chrambach, A., Dunn, M. J. and Radola, B. J., eds., VCH, Weinheim, pp. 159-200）。等電点電気泳動に基づくこの精製処理は、再循環条件下で、タンパク質マクロイオンを貯蔵器に保持し、そして連続的に電場中のそれらが双性イオン膜を備えたマルチコンパートメント電解槽を通過することにより進行する。このシステムにおいて、タンパク質はいつも液体傾向を維持し（したがって、それは、クロマトグラフィー法の慣例の、表面上への吸着により無くならない）、そして、それは精製されるタンパク質のｐＩ値を含むｐＩを有する２つの膜により定められているチャンバーに捕捉される。したがって、連続の滴定プロセスにより、等電点がないか、または異なるｐＩ値を有する全ての他の不純物は、対象のタンパク質が、最後に、同じ等電点および等イオン点であることにより特徴付けられる単独の種類として存在するチャンバーから追い出される（ただし、タンパク質の等電点および等イオン点は対イオンの存在である程度異なり得る）。
【００２９】
該デバイスは、タンパク質およびペプチドの分離および精製のため、すなわち、対象のタンパク質から汚染物質（他のマクロイオンおよび塩を含む）を除去するために使用できる（Faupel, D. M. and Righetti, P. G., U.S. Pat. No. 4,971,670, Nov. 20, 1990）。同様の多数のサブコンパートメントデバイスがFaupel et al.によるU.S. Pat. No. 4,971,670、Egen et al.によるU.S. Pat. No. 5,173,164、Rodkey et al.によるU.S. Pat. No. 4,963,236およびPerry et al.によるU.S. Pat. No. 5,087,338に記載されている（これら全ては、サブコンパートメントの本質的に平行なアレイとなる隔壁により互いに分離される一連の平行なスペーサーを含むデバイスを記載している）。多数の他の同様のデバイスが特許および他の文献に記載されている。全てのこのようなデバイスにおいて、電極は電場の適用のためにサブコンパートメントの組み立ての最後に提供される。
【００３０】
実際の分離は、膜を通過する電場を使用する、１つのチャンバーに陰極および他のチャンバーに陽極を置くことにより実施する。電場は電源により生じさせる。システムが耐用できる任意の電圧は、生じる熱は適当な冷却により放散させることを条件に、例えば、１００から１００００ボルト、とりわけ５００から１００００ボルト、好ましくは５００から５０００ボルト、例えば、５００、１０００、５０００または１００００ボルトでさえを使用してもよい。平衡であるとき、典型的な値は、例えば、１０００ボルト、３ｍＡおよび３Ｗまたは５００ボルト、１０ｍＡおよび５Ｗである。
【００３１】
両性等電点を固定させるｐＨ膜はｐＨ差を含まず、膜中で同じｐＨ値を有する。このような膜の製造は当業者に慣用となっており、ｐＨ勾配を有するマトリックス（例えば、アクリルアミドを含むゲル）の製造と同様である。勾配ミキサーは必要でなく、そしてグリセロールは本発明の密度勾配を製造するために必要ではない。
【００３２】
ＩＥＦのために有用なこれまでに記載された膜は、好ましくはほぼ中性のｐＨ、５０℃で押込み換気オーブン１時間で、適当な重合触媒および水と一緒に所望の等電点を生じるために必要な割合の可変量の緩衝および滴定用の等電点バッファー（ＩｍｍｏｂｉｌｉｎｅｓＴＭ）、ＡｍｐｈｏｌｉｎｅｓＴＭを含むモノマー（一般的に、１０−１５％のアクリルアミドおよび３−４％の架橋剤：Ｎ，Ｎ’−メチレン−ビス−アクリルアミド）の溶液の重合により製造される。
【００３３】
膜が正味の電荷の存在または取得により引き起こされる膜を介するバルクの液体流動を意味する用語である電気浸透を防止するため、それらの等電点で良い緩衝能力を有することが重要である。しかしながら、ＩｍｍｏｂｉｌｉｎｅＴＭのモル濃度は、好ましくは膜のそれぞれのＩｍｍｏｂｉｌｉｎｅＴＭの５０ｍＭを越えないべきである。
【００３４】
ＡｍｐｈｏｌｉｎｅｓＴＭは低分子量の両性物質、すなわち両性電解質であり、反対にＩｍｍｏｂｉｌｉｎｅｓＴＭはアクリルアミド／Ｎ，Ｎ’−メチレン−ビス−アクリルアミドまたはＮＡＴポリマーに固定されず、したがって電気伝導性に寄与することができる。多数の両性物質、例えば、アミノ酸およびペプチドならびにいくつかの両性および非両性バッファー成分の混合物は適当な両性電解質として作用することができる。しかしながら、等電点電気泳動実験の大部分は市販の両性電解質混合物を使用して実施される。これらの多数で広く使用されているものは、商標名ＡｍｐｈｏｌｉｎｅｓＴＭの下にＬＫＢ  Ｐｒｏｄｕｋｔｅｒ  ＡＢにより販売されている。それらは大部分は３００−６００の範囲の分子量を有するポリアミノポリカルボン酸の合成混合物からなる。他の生成物は、アミノ酸およびカルボン酸基に加えてスルホン酸またはホスホン酸基を含んで使用することができる。これらの生成物（ServalytsTM, Serva-Feinbiochemica GmbH; BiolytesTM, Bio-Rad Laboratories; PharmalytesTM, Pharmacia AB）は、最近、ＡｍｐｈｏｌｉｎｅｓＴＭと比較され、同様の能力を有することを示された。
【００３５】
アクリルアミドバッファーであるＩｍｍｏｂｉｌｉｎｅｓＴＭは、一般構造ＣＨ２＝ＣＨ−ＣＯ−ＮＨ−Ｒ（式中、Ｒはカルボン酸または三級アミノ基を含む）を有するアクリルアミド誘導体である。ＩｍｍｏｂｉｌｉｎｅｓＴＭは、固定されたｐＨ勾配を製造するために、アクリルアミドとＮ，Ｎ’−メチレン−ビス−アクリルアミドの共重合をするために製造されている。それぞれの誘導体は規定の、かつ既知のｐＫ値を有する。ｐＫ値９．５を有するＮ−（３−ジメチルアミノ−プロピル）−メタクリルアミドはＩｍｍｏｂｉｌｉｎｅＴＭに類似するメタクリルアミド誘導体の例として挙げられ得る。
【００３６】
先行技術によって、アクリルアミドは、例えば、メタクリルアミドに、Ｎ，Ｎ’−メチレン−ビス−アクリルアミドは、何らかの他の適当な架橋剤、例えば、他の適当なアクリルアミド誘導体に置き換えてもよい。しかしながら、これらの提案された置換は当分野で既知の全ての欠点を回避しない。しかしながら、驚くべきことに、本発明者は毒性のアクリルアミドが有利に非毒性のＮＡＴにより置き換えることができることを見出した。
【００３７】
共重合後、ＩｍｍｏｂｉｌｉｎｅｓＴＭは共有結合、すなわち固定され、そしてｐＨ勾配またはｐＨ膜の伝導性に何ら寄与しない。しかしながら、Ｉｍｍｏｂｉｌｉｎｅｓは緩衝および滴定能力に寄与する。
【００３８】
好ましくは、ｐＨ膜は、利用できるＩｍｍｏｂｉｌｉｎｅｓＴＭおよびＡｍｐｈｏｌｉｎｅｓＴＭに依存して約３から約１０の範囲のｐＨ範囲にある。対象の化合物が両性であるとき、流動チャンバーに面する２つの膜のｐＨ値は、該両性物質を等電点状態でその間、維持するために必要な精度で該両性物質の等電点のわずかに上および下または等しく設定されるべきである。
【００３９】
この改良された等電点電気泳動技術において、対象のタンパク質は電気泳動的に膜へ移動せず（さらなる精製工程により回収されるべきである）、容易に分離されることができる液体中で荷電状態を維持する。所望の分子が該所望の分子を単離する能力のために選択されたｐＨ固定膜に入ると、それはその電荷を失い、そして液体に再び入る。したがって、この分子は該膜を通過せず、該膜の前のチャンバー／コンパートメントに保持される。こうして、定められたｐＨでは、そのｐＨで荷電している分子のみ、例えば、望ましくない分子は、膜を通過することができる。
【００４０】
ｐＨ膜について、多数の場合において、膜のｐＨが興味ある成分の等電点（ｐＩ）のわずかに下であるような状態を設定することが可能である。必要なとき、第２の分離工程において、膜のｐＨは、所望の化合物のｐＩのわずかに上の値に設定され得る（もちろん、適当な固定化ｐＨ勾配（ＩＰＧ）の製造は、所望の物質が極端に高いまたは低いｐＩを有する比較的に珍しい場合で困難となり得る）。したがって、個々の等電点を有する所望の分子は、選択された２つの固定化ｐＨ勾配またはｐＨ膜により定められている狭いｐＨ範囲のみの等電点のものである。
【００４１】
対象の化合物が両性であるとき、この範囲は、通常、０．０５から０．２ｐＨ単位を含む；しかしながら、０．００１ｐＨ単位までの範囲も達成することができる。該範囲は０ｐＨ単位を含むことも可能であり、すなわち極端なｐＨ値は所望の化合物の等電点に相当する。これはすべてのｐＨ範囲ではなく、２つのゲル相間の液体範囲のみであることを意味する。
【００４２】
対象の化合物が中性であるとき、膜のｐＨ値は、望ましくない両性または荷電した化合物に関して、該望ましくない化合物が個々のｐＨ範囲内で捕捉されるという意味で選択されないことが、当業者に容易に理解される。中性化合物は、流動チャンバーに面している膜の限界状態に関係なく、ｐＨ勾配に入らない。限界状態でのその精度に加えて、ＩＰＧの制限のない安定性によって、精製下の化合物の等電条件が、液圧流動相内で、とりわけ流動チャンバー内で、他の場所ではなく、例えば、陽極または陰極ゲル相内ではなく、一定に保たれるように、ｐＨ勾配が変化しないことが、自動的に時間的に保証する。
【００４３】
本発明のプロセスは、少なくとも下記の主な利点を有する：
（ａ）膜の非毒性；
（ｂ）精製下で所望の化合物（例えば、タンパク質）がゲル相に入らず、全体の精製工程中の液相において非荷電、例えば、等電点状態を維持するため、極端に高いサンプル回収率、約１００％；
（ｃ）精製される化合物、例えば、タンパク質供給物が、別々の貯蔵器と流動チャンバーを循環し続け、常にほんの少量が電場に存在するため、大サンプル負荷；
（ｄ）所望の化合物、例えば、タンパク質の等電点（ｐＩ）にわたって選択されるｐＨ間隔の狭さに依存する高分解能；
（ｅ）本プロセスが、また、電気透析（脱塩処理）に対して使用することができることを意味する、興味ある化合物（例えば、ペプチドまたはタンパク質）に付随する何らかの塩またはバッファーの自動的除去。とりわけ、一価イオンの強酸または強塩基、例えば、酸、ＨＣｌ、ＨＢｒ、ＨＩ、ＨＮＯ３、ＨＣｌＯ４、Ｈ２ＳＯ４または塩基、ＬｉＯＨ、ＮａＯＨ、ＫＯＨ、ＲｂＯＨ、ＣｓＯＨ、Ｃａ（ＯＨ）２、Ｓｒ（ＯＨ）２、Ｂａ（ＯＨ）２の除去は非常に容易である。一価イオンの弱酸および弱塩基、例えば、アンモニウムおよび酢酸の除去において、下記両性等電点ＩｍｍｏｂｉｌｉｎｅＴＭ膜、または、狭いｐＨ勾配、すなわち比較的に弱い酸および塩基のｐＫ値から実質的に離れている比較的に小さいｐＨ範囲、例えば、０．５から１．０ｐＨ単位のみを含む勾配を使用することが有利である。多価イオン、例えば、スルフェート、ホスフェートおよびシトレートの除去は、恐らくこれらの種類とＩｍｍｏｂｉｌｉｎｅＴＭマトリックスの相互作用のために時間がかかり、一価の対イオンの迅速な除去はチャンバー内の溶液を酸性またはアルカリ性にさせることができるためｐＨ制御、例えば、ｐＨスタット外下で実施することが最も良い。種々な使用、例えば、酵素反応またはリガンド結合試験に対するタンパク質サンプルの迅速な脱塩は、生化学において現在直面している問題の１つである。サンプル供給物における全ての塩含量（すでに１ｍＭ濃度）は、あるいは非常に大きな流動画分がタンパク質に対立するイオンそれ自体により送達されるため、非等電点タンパク質の輸送を抑制する。加えて、サンプル貯蔵器の高い塩レベルは、タンパク質移動を阻害し、変性さえ誘導し得る陰極および陽極イオン限界のアルカリ性および酸性を形成し得る。セグメント化（ならびに慣用の）ＩＰＧゲルにおいて、サンプルゾーンに存在する実質的に全ての塩はその電気泳動輸送を抑制する。したがって、タンパク質不純物を等電点成分から除去するために十分な最も良い方法はすでに脱塩されたタンパク質供給物をセグメント化ＩＰＧ装置に挿入することである。しかしながら、タンパク質不純物の除去は、よりゆっくりな速度であるが、サンプル中に塩の存在下でさせ達成することができる。後者の場合、塩レベルはタンパク質溶解度で最小適合性（例えば、５ｍＭ以下）を維持し、外部のｐＨ制御を、塩成分により生じる限界の発生によって引き起こされるサンプル供給物の劇的なｐＨ変化を防止するために（例えば、ｐＨスタットで）するべきである。非常に少ない場合において、最大塩濃度がサンプル相において電気泳動中、等電点の付近で非常に低いイオン強度のためタンパク質凝集および沈殿を防止するために必要であり得る。この目的のために、外液圧流動を、複合電気および拡散多量輸送による塩喪失を補充して使用してもよい（Rilbes’ steady- state rheoelectrolysis， H. Rilbe， J. Chromatography 159, 193-205 [1978]の概念と同様）。
【００４４】
典型的なマルチチャンバーデバイスは、図６に記載されており、そして“単位膜”と称される箱、電極および電極間の部分からなる。箱の覆いは溶液の抽出、挿入または取扱を可能にする穴を有する。電極は図６に記載されているように固定されている。該デバイスは、透過性膜により分割された２つのコンパートメントの単位および固定された電極を有する覆いを含む。電極はそれぞれのコンパートメントに置かれ、処理される液体を含み本発明の透過性膜を介する流動を可能にする。一方の電極が正、もう一方が負であるとき、液体に含まれている何らかのイオン性化合物のイオンは透過性膜を介して拡散する。正に荷電したイオンは負極に向かい、負に荷電したイオンは正極に向かう。本発明の膜および単位膜は好ましくは図６に記載されているとおりに置かれる。電場をｐＨ緩衝膜に使用すると、それらは“ｐＩ選択的”となり、両性の種類、例えば、タンパク質またはペプチドのみが対向電極に向かい移動することを可能となる。
【００４５】
チャンバーの形は電場がそれを通過する形式で製造され、それによって所望の分子タンパク質がいつも液体傾向で維持されるような溶液中に存在する荷電種の移動流動を発生させることができる。
【００４６】
本発明は、また、本発明のデバイス中のタンパク質混合物、細胞抽出物、ペプチドおよび他のサンプルまたは塩を“電気濾過モード”で実施することを可能にする。このようなデバイスを電気泳動に使用するためには電極コンパートメントを含む。
【００４７】
１つの態様において、濾過膜は既知の先行技術の実質的な利点を有するモジュラーシステムを提供する“単位膜”に含まれる。使用される単位膜は容易に除去され、新しい単位膜が簡単に挿入できる。注目すべきは、異なる可能な設計が、電気透析、ＥＬＩＳＡおよび逆浸透デバイスのようなほかの適用および組合せ適用に使用できることである。
【００４８】
下記実施例は何ら本発明を限定することなく本発明を説明する。
【実施例】
【００４９】
実施例
実施例１：膜の製造
ＮＡＴ（Ｎ−アクリロイル−トリス（ヒドロキシメチル）アミノメタン（FLUKA, Buchs, SwitzerlandまたはElchrom Scientific AG, Cham, Switzerlandから入手できる）、Ｎ、Ｎ’−メチレンビスアクリルアミドおよびアクリルアミドバッファーの濃度および割合の選択は、分離されるタンパク質のサイズに非常に依存している。適当なゲル組成物の選択は、膜に対する重要な考慮すべき事項である。２つの因子が特に重要である：ゲル空隙率およびゲルのアクリルアミドバッファーの濃度。両方の性質は、通常、関係式：
【数１】
2010503869.tif 000003
により示されるＮＡＴおよび架橋剤の相対量により決定される。
【００５０】
膜の製造を可能にする新たなプロトコールを確立するため；アクリルアミドモノマーに基づくプロトコールを、最初に、Ａｍｅｒｓｈａｍ：（８０−６３５０−１８  Ｒｅｖ．Ａ／２−９７）により公開されているものを使用して使用した。表１は等電点膜を製造するために使用されるアクリルアミドバッファー混合物の例を示す。我々はＮＡＴ（図１）とアクリルアミドの比較を使用して相関図を確立した。
表１：等電点膜に対するアクリルアミドバッファー混合物
【表１】
2010503869.tif 000004
【００５１】
本実施例のために、下記割合をＮＡＴ１７．５％の貯蔵溶液に対して選択した：５．６４ｇのＮ−アクリロイル−トリス（ヒドロキシメチル）アミノメタン（ＮＡＴ）；０．１６ｇのＮ、Ｎ’−メチレンビスアクリルアミド；および２６．５ｇの水。
【００５２】
該貯蔵溶液は下記プロトコールにしたがって得た：
ＮＡＴ／ビスアクリルアミドモノマー貯蔵溶液を脱イオンし、濾過し、そして脱気する。
４℃保存から室温に３０分温めてモノマーバッファーを除去する。
それぞれの金型ブロック（図２）に対する清浄乾燥カバープレートを１ｍｌのＲｅｐｅｌ−ＳｉｌａｎｅＴＭ溶液で被覆し、数分乾燥させる。Ｒｅｐｅｌ−ＳｉｌａｎｅＴＭはカバープレートへの膜の付着を防止する。
使用直前に１ｍｌの４０％の過硫酸アンモニウム（ＡＰＳ）（１ｍｌの重水素中の０．４ｇのＡＰＳ）およびＴＥＭＥＤ（，Ｎ，Ｎ’，Ｎ’−テトラメチルエチレンジアミン；９９．９％）を製造する。
【００５３】
等電点膜の製造：
それぞれの膜セットのｐＨを溶液中の異なる分子（これらの異なるｐＩ値は既知である）が別々のチャンバーに捕捉されるように選択する。
十分なＮＡＴ／ビスアクリルアミドモノマー貯蔵溶液を製造し、脱イオン化し、濾過し、脱気する。
４℃の保存から室温に３０分温めてモノマーバッファーを除去する。
それぞれの金型ブロック（図２）に対するカバープレートを１ｍｌのＲｅｐｅｌ−ＳｉｌａｎｅＴＭ溶液で、被覆し、洗浄し、乾燥させ、数分乾燥させる。Ｒｅｐｅｌ−ＳｉｌａｎｅＴＭはカバープレートへの膜の付着を防止する。カバープレートを広く洗浄する。
表１に記載されているアクリルアミドバッファープロトコールに続いて等電点膜を作る。必ずモノマーバッファー溶液のｐＨを測定し、ＮＡＴ／ビスアクリルアミド貯蔵溶液を加える。
使用直前に１ｍｌの４０％の過硫酸アンモニウム（ＡＰＳ）（１ｍｌの重水素中の０．４ｇのＡＰＳ）およびＴＥＭＥＤ（，Ｎ，Ｎ’，Ｎ’−テトラメチルエチレンジアミン；９９．９％）を製造する。ＮＡＴ／ビスアクリルアミド貯蔵溶液、５μｌのＴＥＭＥＤ（９９．９％）および１０μｌの４０％のＡＰＳをモノマーバッファー溶液に加え、混合し、“ゲル溶液”を得る。
【００５４】
３ｍｌの“ゲル溶液”を金型ブロック中の２つのウェルそれぞれに送達する。
Ｗｈａｔｍａｎ  ＧＦ／Ｄ、４．７ｃｍのフィルターをウェルに角度を付けて置くことにより湿らして、毛細管現象でそれを溶液で湿らせる。湿ったら、フィルターをそのウェルに下げていき、手袋している指でそれを静かに押す。
さらに２ｍｌの”ゲル溶液”をそれぞれのフィルターに置く。
グラスカバープレートをシランで被覆されている側で膜に向かって膜上に下げていき、過剰なゲル溶液をプレートとアクリルブロック間から排出する。
空気がカバープレート下に捕捉されることを避けるように注意する。該理由は、空気が重合を阻止し、気泡が膜の穴を引き起こし得るためである。
膜を５０℃で１時間インキュベートする。
【００５５】
実施例２：実験セットアップ
８μｍの空隙率のＴｈｉｎ  ＣｅｒｔＴＭ（ＰＥＴ毛管孔隙膜で密閉され、幾何形態を有し、０．４μｍ、１．０μｍ、３．０μｍおよび８．０μｍの細孔径を有する６、１２および２４ウェルマルチウェルプレートに対する透明なポリスチレン挿入物を備える、Ｇｒｅｉｎｅｒ  Ｂｉｏ−Ｏｎｅ、Ｆｒｉｃｋｅｎｈａｕｓｅｎ、Ｇｅｒｍａｎｙから得ることができる）を図６の装置に入れた。この装置は、図６に記載されているとおり、電極を有する覆いを含む。８μｍの空隙率のＴｈｉｎ  ＣｅｒｔＴＭを、図６に記載されているとおり、装置に置いた。その後、等電点膜をそこに置き、Ｔｅｆｌｏｎ（登録商標）環により適当な位置に維持した。気泡がその穴に捕捉されないように、Ｔｈｉｎ  ＣｅｒｔＴＭを使用前に水中で３０分撹拌した。分離する液体をそれぞれの装置に挿入し、次に分析されるサンプルを陽極側に導入し、電圧を加えた。４００μｌのバッファーを膜の上部（陽極側）に入れ、そして５００μｌのバッファーを膜の下部（陰極側）に入れた。実験の最後に、画分を回収して分析した。
【００５６】
実施例３：粗血清から等電点ｐＩ７．８を有する抗体の分取分離
１００μｌの１／１希釈血清に１０ｍＭの３００μｌのＨ３ＰＯ４および３μｌの抗体を５４．７ｍｇ／ｍｌで加えた。この溶液を膜の陽極側に入れた。膜の陰極側に５００μｌのＨ２Ｏと０．０００１％のＰｈａｒｍａｌｙｔｅ８−１０（GE Healthcare Bio-science AB, Uppsala, Sweden）を一緒に入れた。電圧１００Ｖ、電流２ｍＡおよび電力２Ｗを３０分適用し、次に第２工程の電圧２００Ｖ、電流２ｍＡおよび電力２Ｗを２時間３０分適用した。
【００５７】
実験の結果
該分析はＡｍｐｈｏｌｉｎｅＴＭ  ゲル  ３．５−９．５プレート（GE Healthcare Bio-science AB, Uppsala, Sweden）で実施した。サンプル濃度の下限は、使用されるサンプルの容量およびゲルを現像するために使用される検出法の感受性の両方に依存する。８０μｌのサンプル容量を使用した。下記条件を使用した：
５００Ｖ−２５ｍＡ−５Ｗ  ４０分
１０００Ｖ−２５ｍＡ−５Ｗ  ４０分
１５００Ｖ−２５ｍＡ−５Ｗ  １時間３０分
【００５８】
ＡｍｐｈｏｌｉｎｅＴＭ  ゲル  ３．５−９．５の固定および染色条件：
下記溶液を製造した：ＴＣＡ  １５％、Ｃｏｌｌｏｉｄａｌ  Ｃｏｏｍａｓｓｉｅ  Ｂｌｕｅ。ゲルを１００ｍｌの１５％のＴＣＡで３０分間で固定し、希釈したＨ２Ｏで２×５分で濯ぎ、１００ｍｌのＣｏｏｍａｓｓｉｅ  Ｂｌｕｅで染色し、次に希釈したＨ２Ｏで濯いだ。結果を図３に示す。これらの結果は、この方法が乱雑な粗血清から分析評価のためのタンパク質を容易に分離することが可能であることを示す。
【００５９】
実施例４：等電点ｐＨ５．４５の膜および他の実験において等電点ｐＨ５．５５の膜であらかじめ分離したエグリンＣ（ｐＩ＝５．５５）およびβラクトグロブリンイソ型（ｐＩ＝５．２、５．３）
６００μｌのタンパク質混合物に１００μｌの１０ｍＭのリン酸を加えた。この溶液を膜の陽極側に入れた。膜の陰極側に１５００μｌのＨ２Ｏと０．００１％のＰｈａｒｍａｌｙｔｅ３−１０を一緒に入れた。電圧５００Ｖ、電流２ｍＡおよび電力２Ｗを４時間した。このセットアップは、ｐＨ５．４５またはｐＨ５．５、実験番号７８または７９各々を有する膜を使用して上記を使用した。
【００６０】
実験の分析：
ＩｍｍｏｂｉｌｉｎｅＴＭ  ゲル  ｐＨ：４−７  支持体（ＩｍｍｏｂｉｌｉｎｅＴＭ  ＤｒｙＰｌａｔｅ  ：GE Healthcare Bio-science AB, Uppsala, Sweden）を使用した。半分のゲルを３９ｍｌのＨ２Ｏ＋１ｍｌのＰｈａｒｍａｌｙｔｅＴＭ３−１０で２時間で再水和した。再水和したゲルを１０００Ｖ、３ｍＡ、５Ｗで１時間平衡にし、サンプルを加えた。電極ストリップをＨ２Ｏ＋０．００１％のＰｈａｒｍａｌｙｔｅＴＭ３−１０に浸した。
下記条件を使用した：
１０００Ｖ−３ｍＡ−５Ｗ  ２０分
２５００Ｖ−３ｍＡ−５Ｗ  ４５分
３５００Ｖ−３ｍＡ−５Ｗ  ３０分
【００６１】
ゲル（図５）を上記実施例４のとおりに固定および染色した。“出発物質”は混合物を示し、何らかの分離をした。分離後、陽極側（７８＋および７９＋）および陰極側（７８−および７９−）の画分を回収した。分離で、エグリンＣは５．４５および５．５膜の下に拡散するが、βラクトグロブリンはそれの上を維持した。出発物質の色は分離後のサンプルより暗い。これはサンプルを膜上に加えた後である事実により、付加的容量を考えるべきである：該容量は膜より下であり、これはサンプル７８＋／−および７９＋／−を希釈する。結果は、エグリンＣ（ｐＩ：５．５５）が本発明の膜を使用してβラクトグロブリンイソ型（ｐＩ：５．３および５．２）から容易に分離することができることを示す。
【図１】
2010503869.tif 000005
【図２】
2010503869.tif 000006
【図３】
2010503869.tif 000007
【図４】
2010503869.tif 000008
【図５】
2010503869.tif 000009
【図６】
2010503869.tif 000010
【国際調査報告】
2010503869.tif 000011
2010503869.tif 000012